【手続補正書】
【提出日】平成25年11月25日(2013.11.25)
【手続補正１】
【補正対象書類名】特許請求の範囲
【補正対象項目名】全文
【補正方法】変更
【補正の内容】
【特許請求の範囲】
【請求項１】
無線通信のための装置であって、
第１および第２の無線ネットワークの各々の１または複数の無線デバイスとの通信をサポートし、ここで、前記第１および第２の無線ネットワークは、共通のスペクトルおよび異なるエアインターフェースプロトコルを有する、
前記第１のネットワークでの送信を抑制し、前記第２の無線ネットワークでの無線送信のための媒体を予約するために、前記第１の無線ネットワークへの送信のためのメッセージを生成する  ように構成された処理システムを備える装置。
【請求項２】
前記メッセージを前記第１の無線ネットワークに送信するように構成された送信機をさらに備える、請求項１に記載の装置。
【請求項３】
前記送信機は、前記メッセージを前記第１のネットワークへと指向的に送信するようにさらに構成される、請求項２に記載の装置。
【請求項４】
前記送信機は、前記第２のネットワークでの無指向性送信を可能にするために、前記メッセージを前記第１のネットワークへと指向的に送信するようにさらに構成される、請求項３に記載の装置。
【請求項５】
前記送信機は、前記第２のネットワークでの指向性送信を可能にするために、前記メッセージを前記第１のネットワークへと指向的に送信するようにさらに構成される、請求項３に記載の装置。
【請求項６】
前記送信機は、前記第２のネットワークでの指向性送信を可能にするために、前記メッセージを前記第１のネットワークへと無指向的に送信するようにさらに構成される、請求項２に記載の装置。
【請求項７】
前記送信機は、前記第２のネットワークでの無指向性送信を可能にするために、前記メッセージを前記第１のネットワークへと無指向的に送信するようにさらに構成される、請求項２に記載の装置。
【請求項８】
前記装置は、無線広域ネットワークをサービスする基地局である、請求項３に記載の装置。
【請求項９】
前記送信機は、前記基地局に関連付けられた複数のセクタのうちの１つへと前記メッセージを指向的に送信するようにさらに構成される、請求項８に記載の装置。
【請求項１０】
前記送信機は、前記第２の無線ネットワーク内の送信側の無線デバイスの予想された位置をカバーする領域内へ前記メッセージを指向的に送信するようにさらに構成される、請求項３に記載の装置。
【請求項１１】
前記送信機は、前記第２の無線ネットワークでの将来の送信の予想された範囲をカバーする領域内へ前記メッセージを指向的に送信するようにさらに構成される、請求項３に記載の装置。
【請求項１２】
前記送信機は、前記第２の無線ネットワークにおける送信の範囲内にある前記第１の無線ネットワーク内の無線デバイスに到達するのに十分な電力で前記メッセージを送信するようにさらに構成される、請求項１に記載の装置。
【請求項１３】
前記処理システムは、ある時間インターバルの間前記媒体を予約するために、前記第１の無線ネットワークへの送信のための前記メッセージを生成するようにさらに構成される、請求項１に記載の装置。
【請求項１４】
前記処理システムは、前記第１および第２の無線ネットワークのうちの少なくとも１つにおけるリソース要件を予測し、前記予測に少なくとも部分的に基づいて、前記媒体を予約すべき前記時間インターバルを決定するようにさらに構成される、請求項１３に記載の装置。
【請求項１５】
前記処理システムは、前記第１および第２のネットワークのうちの少なくとも１つにおけるリソース要件を動的に決定し、前記決定に少なくとも部分的に基づいて、前記媒体を予約すべき前記時間インターバルを決定するようにさらに構成される、請求項１３に記載の装置。
【請求項１６】
前記処理システムは、前記第１の無線ネットワークにおける公平性を確実にするために、基準に少なくとも部分的に基づいて前記媒体を予約すべき前記時間インターバルを決定するようにさらに構成される、請求項１３に記載の装置。
【請求項１７】
前記処理システムは、前記時間インターバルに続いて、前記第１の無線ネットワークでの無線送信を調整するようにさらに構成される、請求項１３に記載の装置。
【請求項１８】
前記処理システムは、前記時間インターバルに続いて、前記第１の無線ネットワーク内の１または複数の無線デバイスについてのスリープスケジュールを決定するようにさらに構成される、請求項１７に記載の装置。
【請求項１９】
前記処理システムは、前記第２の無線ネットワークでの無線送信のための前記予約された媒体の前記時間インターバルに続いて、前記第１の無線ネットワークでの無線送信のための前記媒体を予約するために、前記第２の無線ネットワークへの送信のためのメッセージを生成するようにさらに構成される、請求項１３に記載の装置。
【請求項２０】
前記処理システムは、前記媒体が予約されている間に、前記第２の無線ネットワークでの前記無線送信を調整するようにさらに構成される、請求項１に記載の装置。
【請求項２１】
前記処理システムは、前記媒体が予約されている間に、前記第２の無線ネットワーク内の１または複数の無線デバイスについてのスリープスケジュールを決定するようにさらに構成される、請求項２０に記載の装置。
【請求項２２】
前記処理システムは、前記第２の無線ネットワークにおいて送信しようとする前記無線デバイスに関する情報を記憶するようにさらに構成される、請求項１に記載の装置。
【請求項２３】
前記処理システムは、前記第２の無線ネットワークにおいて送信しようとする前記無線デバイスの前記位置に関する情報を記憶するようにさらに構成される、請求項１に記載の装置。
【請求項２４】
前記装置は、無線ローカエルエリアネットワークのためのアクセスポイントである、請求項１に記載の装置。
【請求項２５】
前記処理システムは、ピア・ツー・ピア送信をサポートするように構成される、請求項１に記載の装置。
【請求項２６】
前記処理システムは、前記第２の無線ネットワーク内の無線デバイスが送信することを可能にするために、前記第２の無線ネットワークへの送信のためのメッセージを生成するようにさらに構成される、請求項１に記載の装置。
【請求項２７】
無線通信のための方法であって、
第１および第２の無線ネットワークの各々の１または複数の無線デバイスとの通信をサポートすることと、ここで、前記第１および第２の無線ネットワークは、共通のスペクトルおよび異なるエアインターフェースプロトコルを有する、
前記第１のネットワークでの送信を抑制し、前記第２の無線ネットワークでの無線送信のための媒体を予約するために、前記第１の無線ネットワークへの送信のためのメッセージを生成することとを備える方法。
【請求項２８】
前記メッセージを前記第１の無線ネットワークへと送信することをさらに備える、請求項２７に記載の方法。
【請求項２９】
前記メッセージは前記第１のネットワークへと指向的に送信される、請求項２８に記載の方法。
【請求項３０】
前記メッセージは、前記第２のネットワークでの無指向性送信を可能にするために、前記第１のネットワークへと指向的に送信される、請求項２９に記載の方法。
【請求項３１】
前記メッセージは、前記第２のネットワークでの指向性送信を可能にするために、前記第１のネットワークへと指向的に送信される、請求項２９に記載の方法。
【請求項３２】
前記メッセージは、前記第２のネットワークでの指向性送信を可能にするために、前記第１のネットワークへと無指向的に送信される、請求項２８に記載の方法。
【請求項３３】
前記メッセージは、前記第２のネットワークでの無指向性送信を可能にするために、前記第１のネットワークへと無指向的に送信される、請求項２８に記載の方法。
【請求項３４】
前記メッセージは、無線広域ネットワークをサービスする基地局から送信される、請求項２９に記載の方法。
【請求項３５】
前記メッセージは、前記基地局に関連付けられた複数のセクタのうちの１つへと指向的に送信される、請求項３４に記載の方法。
【請求項３６】
前記メッセージは、前記第２の無線ネットワーク内の送信側の無線デバイスの予想された位置をカバーする領域内と指向的に送信される、請求項２９に記載の方法。
【請求項３７】
前記メッセージは、前記第２の無線ネットワークでの将来の送信の予想された範囲をカバーする領域内へ指向的に送信される、請求項２９に記載の方法。
【請求項３８】
前記メッセージは、前記第２の無線ネットワーク内の送信の範囲内にある前記第１の無線ネットワーク内の無線デバイスに到達するのに十分な電力で送信される、請求項２７に記載の方法。
【請求項３９】
前記メッセージは、ある時間インターバルの間前記媒体を予約するために、前記第１の無線ネットワークへの送信のために生成される、請求項２７に記載の方法。
【請求項４０】
前記第１および第２の無線ネットワークのうちの少なくとも１つにおけるリソース要件を予測することと、前記予測に少なくとも部分的に基づいて、前記媒体を予約すべき前記時間インターバルを決定することとをさらに備える、請求項３９に記載の方法。
【請求項４１】
前記第１および第２のネットワークのうちの少なくとも１つにおけるリソース要件を動的に決定することと、前記決定に少なくとも部分的に基づいて、前記媒体を予約すべき前記時間インターバルを決定することとをさらに備える、請求項３９に記載の方法。
【請求項４２】
前記第１の無線ネットワークにおける公平性を確実にするために、基準に少なくとも部分的に基づいて、前記媒体を予約すべき前記時間インターバルを決定することをさらに備える、請求項３９に記載の方法。
【請求項４３】
前記時間インターバルに続いて、前記第１の無線ネットワークでの無線送信を調整することをさらに備える、請求項３９に記載の方法。
【請求項４４】
前記時間インターバルに続いて、前記第１の無線ネットワーク内の１または複数の無線デバイスについてのスリープスケジュールを決定することをさらに備える、請求項４３に記載の方法。
【請求項４５】
前記第２の無線ネットワークでの無線送信のための前記予約された媒体の前記時間インターバルに続いて、前記第１の無線ネットワークでの無線送信のための前記媒体を予約するために、前記第２の無線ネットワークへの送信のためのメッセージをさらに備える、請求項３９に記載の方法。
【請求項４６】
前記媒体が予約されている間に、前記第２の無線ネットワークの前記無線送信を調整することをさらに備える、請求項２７に記載の方法。
【請求項４７】
前記媒体が予約されている間に、前記第２の無線ネットワークの１または複数の無線デバイスについてのスリープスケジュールを決定することをさらに備える、請求項４６に記載の方法。
【請求項４８】
前記第２の無線ネットワークにおいて送信しようとする前記無線デバイスに関する情報を記憶することをさらに備える、請求項２７に記載の方法。
【請求項４９】
前記第２の無線ネットワークにおいて送信しようとする前記無線デバイスの位置に関する情報を記憶することをさらに備える、請求項２７に記載の方法。
【請求項５０】
前記メッセージは、無線ローカエルエリアネットワークのためのアクセスポイントによって生成される、請求項２７に記載の方法。
【請求項５１】
ピア・ツー・ピア送信のサポートをさらに備える、請求項２７に記載の方法。
【請求項５２】
前記第２の無線ネットワークの無線デバイスが送信できるようにするために、前記第２の無線ネットワークへの送信のためのメッセージを生成することをさらに備える、請求項２７に記載の方法。
【請求項５３】
無線通信のための装置であって、
第１および第２の無線ネットワークの各々の１または複数の無線デバイスとの通信をサポートする手段と、ここで、前記第１および第２の無線ネットワークは、共通のスペクトルおよび異なるエアインターフェースプロトコルを有する、
前記第１のネットワークでの送信を抑制し、前記第２の無線ネットワークでの無線送信のための媒体を予約するために、前記第１の無線ネットワークへの送信のためのメッセージを生成する手段とを備える装置。
【請求項５４】
前記メッセージを前記第１の無線ネットワークへ送信する手段をさらに備える、請求項５３に記載の装置。
【請求項５５】
前記メッセージを送信する手段は、前記メッセージを前記第１のネットワークへ指向的に送信するように構成される、請求項５４に記載の装置。
【請求項５６】
前記メッセージを送信する手段は、前記第２のネットワークでの無指向性送信を可能にするために、前記メッセージを前記第１のネットワークへ指向的に送信するように構成される、請求項５５に記載の装置。
【請求項５７】
前記メッセージを送信する手段は、前記第２のネットワークでの指向性送信を可能にするために、前記メッセージを前記第１のネットワークへ指向的に送信するように構成される、請求項５５に記載の装置。
【請求項５８】
前記メッセージを送信する手段は、前記第２のネットワークでの指向性送信を可能にするために、前記メッセージを前記第１のネットワークへ無指向的に送信するように構成される、請求項５４に記載の装置。
【請求項５９】
前記メッセージを送信する手段は、前記第２のネットワークでの無指向性送信を可能にするために、前記メッセージを前記第１のネットワークへ無指向的に送信するように構成される、請求項５４に記載の装置。
【請求項６０】
前記装置は、無線広域ネットワークをサービスする基地局である、請求項５５に記載の装置。
【請求項６１】
前記メッセージを送信する手段は、前記基地局に関連付けられた複数のセクタのうちの１つへ前記メッセージを指向的に送信するようにさらに構成される、請求項６０に記載の装置。
【請求項６２】
前記メッセージを送信する手段は、前記第２の無線ネットワーク内の送信側の無線デバイスの予想された位置をカバーする領域内へ前記メッセージを指向的に送信するようにさらに構成される、請求項５５に記載の装置。
【請求項６３】
前記メッセージを送信する手段は、前記第２の無線ネットワークでの将来の送信の予想された範囲をカバーする領域内へ前記メッセージを指向的に送信するようにさらに構成される、請求項５５に記載の装置。
【請求項６４】
前記メッセージを送信する手段は、前記第２の無線ネットワーク内の送信の範囲内にある前記第１の無線ネットワーク内の無線デバイスに到達するのに十分な電力で前記メッセージを送信するように構成される、請求項５３に記載の装置。
【請求項６５】
前記メッセージを生成する手段は、ある時間インターバルの間前記媒体を予約するために、前記第１の無線ネットワークへの送信のための前記メッセージを生成するようにさらに構成される、請求項５３に記載の装置。
【請求項６６】
前記第１および第２の無線ネットワークのうちの少なくとも１つにおけるリソース要件を予測する手段と、前記予測に少なくとも部分的に基づいて、前記媒体を予約する前記時間インターバルを決定する手段とをさらに備える、請求項６５に記載の装置。
【請求項６７】
前記第１および第２のネットワークのうちの少なくとも１つにおけるリソース要件を動的に決定する手段と、前記決定に少なくとも部分的に基づいて、前記媒体を予約すべき前記時間インターバルを決定する手段とをさらに備える、請求項６５に記載の装置。
【請求項６８】
前記第１の無線ネットワークにおいて公平性を確実にするために、基準に少なくとも部分的に基づいて、前記媒体を予約すべき前記時間インターバルを決定する手段をさらに備える、請求項６５に記載の装置。
【請求項６９】
前記時間インターバルに続いて、前記第１の無線ネットワークでの無線送信を調整する手段をさらに備える、請求項６５に記載の装置。
【請求項７０】
前記時間インターバルに続いて、前記第１の無線ネットワーク内の１または複数の無線デバイスについてのスリープスケジュールを決定する手段をさらに備える、請求項６９に記載の装置。
【請求項７１】
前記第２の無線ネットワークでの無線送信のための前記予約された媒体の前記時間インターバルに続いて、前記第１の無線ネットワークでの無線送信のための前記媒体を予約するために、前記第２の無線ネットワークへの送信のためのメッセージを生成する手段をさらに備える、請求項６５に記載の装置。
【請求項７２】
前記媒体が予約されている間に、前記第２の無線ネットワークでの前記無線送信を調整する手段をさらに備える、請求項５３に記載の装置。
【請求項７３】
前記媒体が予約されている間に、前記第２の無線ネットワーク内の１または複数の無線デバイスについてのスリープスケジュールを決定する手段をさらに備える、請求項７２に記載の装置。
【請求項７４】
前記第２の無線ネットワークにおいて送信しようとする前記無線デバイスに関する情報を記憶する手段をさらに備える、請求項５３に記載の装置。
【請求項７５】
前記第２の無線ネットワークにおいて送信しようとする前記無線デバイスの位置に関する情報を記憶する手段をさらに備える、請求項５３に記載の装置。
【請求項７６】
前記装置は、無線ローカエルエリアネットワークのためのアクセスポイントである、請求項５３に記載の装置。
【請求項７７】
ピア・ツー・ピア送信をサポートする手段をさらに備える、請求項５３に記載の装置。
【請求項７８】
前記第２の無線ネットワーク内の無線デバイスが送信できるようにするために、前記第２の無線ネットワークへの送信のためのメッセージを生成する手段をさらに備える、請求項５３に記載の装置。
【請求項７９】
コンピュータ読取可能な媒体を備えるコンピュータ製品であって、
前記コンピュータ読取可能な媒体は、
コンピュータに対して、第１および第２の無線ネットワークの各々の１または複数の無線デバイスとの通信をサポートさせるコードと、ここで、前記第１および第２の無線ネットワークは、共通のスペクトルおよび異なるエアインターフェースプロトコルを有する、
コンピュータに対して、前記第１のネットワークでの送信を抑制し、前記第２の無線ネットワークでの無線送信のための媒体を予約するために、前記第１の無線ネットワークへの送信のためのメッセージを生成させるコードとを備えるコンピュータ製品。
【請求項８０】
前記コンピュータに対してメッセージを生成させるコードは、ある時間インターバルの間、前記媒体を予約するために、前記第１の無線ネットワークへの送信のための前記メッセージを生成するようにさらに構成される、請求項７９に記載のコンピュータ製品。
【請求項８１】
コンピュータに対して、前記第１および第２の無線ネットワークのうちの少なくとも１つにおけるリソース要件を予測させるコードと、コンピュータに対して、前記予測に少なくとも部分的に基づいて、前記媒体を予約すべき前記時間インターバルを決定させるコードとをさらに備える、請求項８０に記載のコンピュータ製品。
【請求項８２】
コンピュータに対して、前記第１および第２のネットワークのうちの少なくとも１つにおけるリソース要件を動的に決定させるコードと、コンピュータに対して、前記決定に少なくとも部分的に基づいて、前記媒体を予約すべき前記時間インターバルを決定させるコードとをさらに備える、請求項８０に記載のコンピュータ製品。
【請求項８３】
前記第１の無線ネットワークにおいて公平性を確実にするために、コンピュータに対して、基準に少なくとも部分的に基づいて、前記媒体を予約すべき前記時間インターバルを決定させるコードをさらに備える、請求項８０に記載のコンピュータ製品。
【請求項８４】
コンピュータに対して、前記時間インターバルに続いて、前記第１の無線ネットワークでの無線送信を調整させるコードをさらに備える、請求項８０に記載のコンピュータ製品。
【請求項８５】
コンピュータに対して、前記時間インターバルに続いて、前記第１の無線ネットワーク内の１または複数の無線デバイスについてのスリープスケジュールを決定させるコードをさらに備える、請求項８０に記載のコンピュータ製品。
【請求項８６】
前記第２の無線ネットワークにおいて無線送信のための前記予約された媒体の前記時間インターバルに続いて、前記第１の無線ネットワークでの無線送信のために前記媒体を予約するために、コンピュータに対して、前記第２の無線ネットワークへの送信のためのメッセージを生成させるコードをさらに備える、請求項８０に記載のコンピュータ製品。
【請求項８７】
コンピュータに対して、前記媒体が予約されている間に、前記第２の無線ネットワークでの前記無線送信を調整させるコードをさらに備える、請求項７９に記載のコンピュータ製品。
【請求項８８】
コンピュータに対して、前記媒体が予約されている間に、前記第２の無線ネットワーク内の１または複数の無線デバイスについてのスリープスケジュールを決定させるコードをさらに備える、請求項８７に記載のコンピュータ製品。
【請求項８９】
コンピュータに対して、前記第２の無線ネットワークにおいて送信しようとする前記無線デバイスに関する情報を記憶させるコードをさらに備える、請求項７９に記載のコンピュータ製品。
【請求項９０】
コンピュータに対して、前記第２の無線ネットワークにおいて送信しようとする前記無線デバイスの位置に関する情報を記憶させるコードをさらに備える、請求項７９に記載のコンピュータ製品。
【請求項９１】
コンピュータに対して、ピア・ツー・ピア送信をサポートさせるコードをさらに備える、請求項７９に記載のコンピュータ製品。
【請求項９２】
コンピュータに対して、前記第２の無線ネットワーク内の無線デバイスが送信できるようにするために、前記第２の無線ネットワークへの送信のためのメッセージを生成させるコードをさらに備える、請求項７９に記載のコンピュータ製品。
【手続補正２】
【補正対象書類名】明細書
【補正対象項目名】００２２
【補正方法】変更
【補正の内容】
【００２２】
[0028]  処理システム３０６は、ソフトウェア、ハードウェア、または両方の組み合せを用いて実現されうる。例として、プロセッサ３１２は、マイクロプロセッサ、デジタル信号プロセッサ（ＤＳＰ）、特定用途向け集積回路（ＡＳＩＣ）、マイクロコントローラ、フィールドプログラマブルゲートアレイ（ＦＰＧＡ）または他のプログラマブル論理、ステートマシン、ディスクリートゲート、トランジスタ論理、ディスクリートハードウェアコンポーネント、あるいは、本開示全体を通して提示された様々な機能を実行するように設計された他の処理エンティティのうちの１または複数あるいはそれらの任意の組み合わせで実現されうる。当業者は、特定のアプリケーションおよびシステム全体に課せられた設計制約全体に依存して、処理システム３０６について説明された機能を実現する最良の方法を認識するだろう。
【手続補正３】
【補正対象書類名】明細書
【補正対象項目名】００２３
【補正方法】変更
【補正の内容】
【００２３】
[0029]  ソフトウェアは、ソフトウェア、ファームウェア、ミドルウェア、マイクロコード、ハードウェア記述言語で呼ばれようと呼ばれまいと、命令、データ、またはそれらの任意の組み合わせを意味するように広く解釈されるべきである。コンピュータ読取可能な媒体は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（電気的消去可能なプログラマブル読取専用メモリ）、レジスタ、磁気ディスク、光ディスク、ハードドライブ、またはその他適切な記憶媒体、あるいはそれらの組み合わせを含みうる。コンピュータ読取可能な媒体は、コンピュータ製品に組み込まれうる。コンピュータ製品は、パッケージングマテリアルを備えうる。
【手続補正４】
【補正対象書類名】明細書
【補正対象項目名】００２７
【補正方法】変更
【補正の内容】
【００２７】
[0033]  プロセッサ３１２は、コンピュータ読取可能な媒体３１４上に記憶されたソフトウェアの実行を含む汎用処理機能を提供する。ソフトウェアは、プロセッサ３１２によって実行されると、本開示全体を通して提示される様々な機能を処理システム３０６に実行させる命令を含む。最も一般的な条件では、処理システム３０６が物理レイヤ上のすべての機能を実現するように構成されるが、当業者が認識するように、物理レイヤ上の様々な機能は、トランシーバ３０８、３１０においても実現されうる。さらに、トランシーバ３０８、３１０によって実現されているとして上述された様々な物理レイヤ機能は、処理システム３０６によって実現されうる。
【手続補正５】
【補正対象書類名】明細書
【補正対象項目名】００４７
【補正方法】変更
【補正の内容】
【００４７】
[0053]  以上の記述は、本明細書に記述された様々な態様を当業者が実施できるようにする目的で提供される。これらの態様に対する様々な変更は当業者には容易に明らかであり、本明細書において定義された包括的な原理は、他の態様に適用可能である。したがって、請求項は本明細書に示された態様に制限されることが意図されておらず、言語の請求項と合致する全範囲が与えられるべきである。ここで、単数形のエレメントへの参照は、そうであると記載されていない限り「１つまたは１つだけの（one and only one）」を意味せず、むしろ「１または複数の（one or more）」を意味することが意図される。別途記載されていない限り、「いくつかの（some）」という用語は、１または複数を意味する。当業者が知っている、または後に知りうる、本開示全体を通して説明された様々な態様のエレメントに対するすべての構成的および機能的な均等物は、参照によって本明細書に明確に組み込まれ、請求項によって包含されることが意図される。さらに、本明細書において開示されたものはいずれも、このような開示が請求項において明確に述べられているかどうかに関わりなく、公衆に向けられることは意図されていない。エレメントが、「〜する手段」という表現を使用して、あるいは、方法請求項の場合に「〜するステップ」という表現を使用して明確に記載されていない限り、請求項におけるいずれのエレメントも米国特許法第１１２条第６段落に基づいて解釈されるべきではない。
以下に本願発明の当初の特許請求の範囲に記載された発明を付記する。
［Ｃ１］
無線通信のための装置であって、
第１および第２の無線ネットワークの各々の１または複数の無線デバイスとの通信をサポートし、ここで、前記第１および第２の無線ネットワークは、共通のスペクトルおよび異なるエアインターフェースプロトコルを有する、
前記第１のネットワークでの送信を抑制し、前記第２の無線ネットワークでの無線送信のための媒体を予約するために、前記第１の無線ネットワークへの送信のためのメッセージを生成する  ように構成された処理システムを備える装置。
［Ｃ２］
前記メッセージを前記第１の無線ネットワークに送信するように構成された送信機をさらに備える、Ｃ１に記載の装置。
［Ｃ３］
前記送信機は、前記メッセージを前記第１のネットワークへと指向的に送信するようにさらに構成される、Ｃ２に記載の装置。
［Ｃ４］
前記送信機は、前記第２のネットワークでの無指向性送信を可能にするために、前記メッセージを前記第１のネットワークへと指向的に送信するようにさらに構成される、Ｃ３に記載の装置。
［Ｃ５］
前記送信機は、前記第２のネットワークでの指向性送信を可能にするために、前記メッセージを前記第１のネットワークへと指向的に送信するようにさらに構成される、Ｃ３に記載の装置。
［Ｃ６］
前記送信機は、前記第２のネットワークでの指向性送信を可能にするために、前記メッセージを前記第１のネットワークへと無指向的に送信するようにさらに構成される、Ｃ２に記載の装置。
［Ｃ７］
前記送信機は、前記第２のネットワークでの無指向性送信を可能にするために、前記メッセージを前記第１のネットワークへと無指向的に送信するようにさらに構成される、Ｃ２に記載の装置。
［Ｃ８］
前記装置は、無線広域ネットワークをサービスする基地局である、Ｃ３に記載の装置。
［Ｃ９］
前記送信機は、前記基地局に関連付けられた複数のセクタのうちの１つへと前記メッセージを指向的に送信するようにさらに構成される、Ｃ８に記載の装置。
［Ｃ１０］
前記送信機は、前記第２の無線ネットワーク内の送信側の無線デバイスの予想された位置をカバーする領域内へ前記メッセージを指向的に送信するようにさらに構成される、Ｃ３に記載の装置。
［Ｃ１１］
前記送信機は、前記第２の無線ネットワークでの将来の送信の予想された範囲をカバーする領域内へ前記メッセージを指向的に送信するようにさらに構成される、Ｃ３に記載の装置。
［Ｃ１２］
前記送信機は、前記第２の無線ネットワークにおける送信の範囲内にある前記第１の無線ネットワーク内の無線デバイスに到達するのに十分な電力で前記メッセージを送信するようにさらに構成される、Ｃ１に記載の装置。
［Ｃ１３］
前記処理システムは、ある時間インターバルの間前記媒体を予約するために、前記第１の無線ネットワークへの送信のための前記メッセージを生成するようにさらに構成される、Ｃ１に記載の装置。
［Ｃ１４］
前記処理システムは、前記第１および第２の無線ネットワークのうちの少なくとも１つにおけるリソース要件を予測し、前記予測に少なくとも部分的に基づいて、前記媒体を予約すべき前記時間インターバルを決定するようにさらに構成される、Ｃ１３に記載の装置。
［Ｃ１５］
前記処理システムは、前記第１および第２のネットワークのうちの少なくとも１つにおけるリソース要件を動的に決定し、前記決定に少なくとも部分的に基づいて、前記媒体を予約すべき前記時間インターバルを決定するようにさらに構成される、Ｃ１３に記載の装置。
［Ｃ１６］
前記処理システムは、前記第１の無線ネットワークにおける公平性を確実にするために、基準に少なくとも部分的に基づいて前記媒体を予約すべき前記時間インターバルを決定するようにさらに構成される、Ｃ１３に記載の装置。
［Ｃ１７］
前記処理システムは、前記時間インターバルに続いて、前記第１の無線ネットワークでの無線送信を調整するようにさらに構成される、Ｃ１３に記載の装置。
［Ｃ１８］
前記処理システムは、前記時間インターバルに続いて、前記第１の無線ネットワーク内の１または複数の無線デバイスについてのスリープスケジュールを決定するようにさらに構成される、Ｃ１７に記載の装置。
［Ｃ１９］
前記処理システムは、前記第２の無線ネットワークでの無線送信のための前記予約された媒体の前記時間インターバルに続いて、前記第１の無線ネットワークでの無線送信のための前記媒体を予約するために、前記第２の無線ネットワークへの送信のためのメッセージを生成するようにさらに構成される、Ｃ１３に記載の装置。
［Ｃ２０］
前記処理システムは、前記媒体が予約されている間に、前記第２の無線ネットワークでの前記無線送信を調整するようにさらに構成される、Ｃ１に記載の装置。
［Ｃ２１］
前記処理システムは、前記媒体が予約されている間に、前記第２の無線ネットワーク内の１または複数の無線デバイスについてのスリープスケジュールを決定するようにさらに構成される、Ｃ２０に記載の装置。
［Ｃ２２］
前記処理システムは、前記第２の無線ネットワークにおいて送信しようとする前記無線デバイスに関する情報を記憶するようにさらに構成される、Ｃ１に記載の装置。
［Ｃ２３］
前記処理システムは、前記第２の無線ネットワークにおいて送信しようとする前記無線デバイスの前記位置に関する情報を記憶するようにさらに構成される、Ｃ１に記載の装置。
［Ｃ２４］
前記装置は、無線ローカエルエリアネットワークのためのアクセスポイントである、Ｃ１に記載の装置。
［Ｃ２５］
前記処理システムは、ピア・ツー・ピア送信をサポートするように構成される、Ｃ１に記載の装置。
［Ｃ２６］
前記処理システムは、前記第２の無線ネットワーク内の無線デバイスが送信することを可能にするために、前記第２の無線ネットワークへの送信のためのメッセージを生成するようにさらに構成される、Ｃ１に記載の装置。
［Ｃ２７］
無線通信のための方法であって、
第１および第２の無線ネットワークの各々の１または複数の無線デバイスとの通信をサポートすることと、ここで、前記第１および第２の無線ネットワークは、共通のスペクトルおよび異なるエアインターフェースプロトコルを有する、
前記第１のネットワークでの送信を抑制し、前記第２の無線ネットワークでの無線送信のための媒体を予約するために、前記第１の無線ネットワークへの送信のためのメッセージを生成することとを備える方法。
［Ｃ２８］
前記メッセージを前記第１の無線ネットワークへと送信することをさらに備える、Ｃ２７に記載の方法。
［Ｃ２９］
前記メッセージは前記第１のネットワークへと指向的に送信される、Ｃ２８に記載の方法。
［Ｃ３０］
前記メッセージは、前記第２のネットワークでの無指向性送信を可能にするために、前記第１のネットワークへと指向的に送信される、Ｃ２９に記載の方法。
［Ｃ３１］
前記メッセージは、前記第２のネットワークでの指向性送信を可能にするために、前記第１のネットワークへと指向的に送信される、Ｃ２９に記載の方法。
［Ｃ３２］
前記メッセージは、前記第２のネットワークでの指向性送信を可能にするために、前記第１のネットワークへと無指向的に送信される、Ｃ２８に記載の方法。
［Ｃ３３］
前記メッセージは、前記第２のネットワークでの無指向性送信を可能にするために、前記第１のネットワークへと無指向的に送信される、Ｃ２８に記載の方法。
［Ｃ３４］
前記メッセージは、無線広域ネットワークをサービスする基地局から送信される、Ｃ２９に記載の方法。
［Ｃ３５］
前記メッセージは、前記基地局に関連付けられた複数のセクタのうちの１つへと指向的に送信される、Ｃ３４に記載の方法。
［Ｃ３６］
前記メッセージは、前記第２の無線ネットワーク内の送信側の無線デバイスの予想された位置をカバーする領域内と指向的に送信される、Ｃ２９に記載の方法。
［Ｃ３７］
前記メッセージは、前記第２の無線ネットワークでの将来の送信の予想された範囲をカバーする領域内へ指向的に送信される、Ｃ２９に記載の方法。
［Ｃ３８］
前記メッセージは、前記第２の無線ネットワーク内の送信の範囲内にある前記第１の無線ネットワーク内の無線デバイスに到達するのに十分な電力で送信される、Ｃ２７に記載の方法。
［Ｃ３９］
前記メッセージは、ある時間インターバルの間前記媒体を予約するために、前記第１の無線ネットワークへの送信のために生成される、Ｃ２７に記載の方法。
［Ｃ４０］
前記第１および第２の無線ネットワークのうちの少なくとも１つにおけるリソース要件を予測することと、前記予測に少なくとも部分的に基づいて、前記媒体を予約すべき前記時間インターバルを決定することとをさらに備える、Ｃ３９に記載の方法。
［Ｃ４１］
前記第１および第２のネットワークのうちの少なくとも１つにおけるリソース要件を動的に決定することと、前記決定に少なくとも部分的に基づいて、前記媒体を予約すべき前記時間インターバルを決定することとをさらに備える、Ｃ３９に記載の方法。
［Ｃ４２］
前記第１の無線ネットワークにおける公平性を確実にするために、基準に少なくとも部分的に基づいて、前記媒体を予約すべき前記時間インターバルを決定することをさらに備える、Ｃ３９に記載の方法。
［Ｃ４３］
前記時間インターバルに続いて、前記第１の無線ネットワークでの無線送信を調整する、Ｃ３９に記載の方法。
［Ｃ４４］
前記時間インターバルに続いて、前記第１の無線ネットワーク内の１または複数の無線デバイスについてのスリープスケジュールを決定する、Ｃ４３に記載の方法。
［Ｃ４５］
前記第２の無線ネットワークでの無線送信のための前記予約された媒体の前記時間インターバルに続いて、前記第１の無線ネットワークでの無線送信のための前記媒体を予約するために、前記第２の無線ネットワークへの送信のためのメッセージをさらに備える、Ｃ３９に記載の方法。
［Ｃ４６］
前記媒体が予約されている間に、前記第２の無線ネットワークの前記無線送信を調整することをさらに備える、Ｃ２７に記載の方法。
［Ｃ４７］
前記媒体が予約されている間に、前記第２の無線ネットワークの１または複数の無線デバイスについてのスリープスケジュールを決定することをさらに備える、Ｃ４６に記載の方法。
［Ｃ４８］
前記第２の無線ネットワークにおいて送信しようとする前記無線デバイスに関する情報を記憶することをさらに備える、Ｃ２７に記載の方法。
［Ｃ４９］
前記第２の無線ネットワークにおいて送信しようとする前記無線デバイスの位置に関する情報を記憶することをさらに備える、Ｃ２７に記載の方法。
［Ｃ５０］
前記メッセージは、無線ローカエルエリアネットワークのためのアクセスポイントによって生成される、Ｃ２７に記載の方法。
［Ｃ５１］
ピア・ツー・ピア送信のサポートをさらに備える、Ｃ２７に記載の方法。
［Ｃ５２］
前記第２の無線ネットワークの無線デバイスが送信できるようにするために、前記第２の無線ネットワークへの送信のためのメッセージを生成することをさらに備える、Ｃ２７に記載の方法。
［Ｃ５３］
無線通信のための装置であって、
第１および第２の無線ネットワークの各々の１または複数の無線デバイスとの通信をサポートする手段と、ここで、前記第１および第２の無線ネットワークは、共通のスペクトルおよび異なるエアインターフェースプロトコルを有する、
前記第１のネットワークでの送信を抑制し、前記第２の無線ネットワークでの無線送信のための媒体を予約するために、前記第１の無線ネットワークへの送信のためのメッセージを生成する手段とを備える装置。
［Ｃ５４］
前記メッセージを前記第１の無線ネットワークへ送信する手段をさらに備える、Ｃ５３に記載の装置。
［Ｃ５５］
前記メッセージを送信する手段は、前記メッセージを前記第１のネットワークへ指向的に送信するように構成される、Ｃ５４に記載の装置。
［Ｃ５６］
前記メッセージを送信する手段は、前記第２のネットワークでの無指向性送信を可能にするために、前記メッセージを前記第１のネットワークへ指向的に送信するように構成される、Ｃ５５に記載の装置。
［Ｃ５７］
前記メッセージを送信する手段は、前記第２のネットワークでの指向性送信を可能にするために、前記メッセージを前記第１のネットワークへ指向的に送信するように構成される、Ｃ５５に記載の装置。
［Ｃ５８］
前記メッセージを送信する手段は、前記第２のネットワークでの指向性送信を可能にするために、前記メッセージを前記第１のネットワークへ無指向的に送信するように構成される、Ｃ５４に記載の装置。
［Ｃ５９］
前記メッセージを送信する手段は、前記第２のネットワークでの無指向性送信を可能にするために、前記メッセージを前記第１のネットワークへ無指向的に送信するように構成される、Ｃ５４に記載の装置。
［Ｃ６０］
前記装置は、無線広域ネットワークをサービスする基地局である、Ｃ５５に記載の装置。
［Ｃ６１］
前記メッセージを送信する手段は、前記基地局に関連付けられた複数のセクタのうちの１つへ前記メッセージを指向的に送信するようにさらに構成される、Ｃ６０に記載の装置。
［Ｃ６２］
前記メッセージを送信する手段は、前記第２の無線ネットワーク内の送信側の無線デバイスの予想された位置をカバーする領域内へ前記メッセージを指向的に送信するようにさらに構成される、Ｃ５５に記載の装置。
［Ｃ６３］
前記メッセージを送信する手段は、前記第２の無線ネットワークでの将来の送信の予想された範囲をカバーする領域内へ前記メッセージを指向的に送信するようにさらに構成される、Ｃ５５に記載の装置。
［Ｃ６４］
前記メッセージを送信する手段は、前記第２の無線ネットワーク内の送信の範囲内にある前記第１の無線ネットワーク内の無線デバイスに到達するのに十分な電力で前記メッセージを送信するように構成される、Ｃ５３に記載の装置。
［Ｃ６５］
前記メッセージを生成する手段は、ある時間インターバルの間前記媒体を予約するために、前記第１の無線ネットワークへの送信のための前記メッセージを生成するようにさらに構成される、Ｃ５３に記載の装置。
［Ｃ６６］
前記第１および第２の無線ネットワークのうちの少なくとも１つにおけるリソース要件を予測する手段と、前記予測に少なくとも部分的に基づいて、前記媒体を予約する前記時間インターバルを決定する手段とをさらに備える、Ｃ６５に記載の装置。
［Ｃ６７］
前記第１および第２のネットワークのうちの少なくとも１つにおけるリソース要件を動的に決定する手段と、前記決定に少なくとも部分的に基づいて、前記媒体を予約すべき前記時間インターバルを決定する手段とをさらに備える、Ｃ６５に記載の装置。
［Ｃ６８］
前記第１の無線ネットワークにおいて公平性を確実にするために、基準に少なくとも部分的に基づいて、前記媒体を予約すべき前記時間インターバルを決定する手段をさらに備える、Ｃ６５に記載の装置。
［Ｃ６９］
前記時間インターバルに続いて、前記第１の無線ネットワークでの無線送信を調整する手段をさらに備える、Ｃ６５に記載の装置。
［Ｃ７０］
前記時間インターバルに続いて、前記第１の無線ネットワーク内の１または複数の無線デバイスについてのスリープスケジュールを決定する手段をさらに備える、Ｃ６９に記載の装置。
［Ｃ７１］
前記第２の無線ネットワークでの無線送信のための前記予約された媒体の前記時間インターバルに続いて、前記第１の無線ネットワークでの無線送信のための前記媒体を予約するために、前記第２の無線ネットワークへの送信のためのメッセージを生成する手段をさらに備える、Ｃ６５に記載の装置。
［Ｃ７２］
前記媒体が予約されている間に、前記第２の無線ネットワークでの前記無線送信を調整する手段をさらに備える、Ｃ５３に記載の装置。
［Ｃ７３］
前記媒体が予約されている間に、前記第２の無線ネットワーク内の１または複数の無線デバイスについてのスリープスケジュールを決定する手段をさらに備える、Ｃ７２に記載の装置。
［Ｃ７４］
前記第２の無線ネットワークにおいて送信しようとする前記無線デバイスに関する情報を記憶する手段をさらに備える、Ｃ５３に記載の装置。
［Ｃ７５］
前記第２の無線ネットワークにおいて送信しようとする前記無線デバイスの位置に関する情報を記憶する手段をさらに備える、Ｃ５３に記載の装置。
［Ｃ７６］
前記装置は、無線ローカエルエリアネットワークのためのアクセスポイントである、Ｃ５３に記載の装置。
［Ｃ７７］
ピア・ツー・ピア送信をサポートする手段をさらに備える、Ｃ５３に記載の装置。
［Ｃ７８］
前記第２の無線ネットワーク内の無線デバイスが送信できるようにするために、前記第２の無線ネットワークへの送信のためのメッセージを生成する手段をさらに備える、Ｃ５３に記載の装置。
［Ｃ７９］
コンピュータ読取可能な媒体を備えるコンピュータ製品であって、
前記コンピュータ読取可能な媒体は、
コンピュータに対して、第１および第２の無線ネットワークの各々の１または複数の無線デバイスとの通信をサポートさせるコードと、ここで、前記第１および第２の無線ネットワークは、共通のスペクトルおよび異なるエアインターフェースプロトコルを有する、
コンピュータに対して、前記第１のネットワークでの送信を抑制し、前記第２の無線ネットワークでの無線送信のための媒体を予約するために、前記第１の無線ネットワークへの送信のためのメッセージを生成させるコードとを備えるコンピュータ製品。
［Ｃ８０］
前記コンピュータに対してメッセージを生成させるコードは、ある時間インターバルの間、前記媒体を予約するために、前記第１の無線ネットワークへの送信のための前記メッセージを生成するようにさらに構成される、Ｃ７９に記載のコンピュータ製品。
［Ｃ８１］
コンピュータに対して、前記第１および第２の無線ネットワークのうちの少なくとも１つにおけるリソース要件を予測させるコードと、コンピュータに対して、前記予測に少なくとも部分的に基づいて、前記媒体を予約すべき前記時間インターバルを決定させるコードとをさらに備える、Ｃ８０に記載のコンピュータ製品。
［Ｃ８２］
コンピュータに対して、前記第１および第２のネットワークのうちの少なくとも１つにおけるリソース要件を動的に決定させるコードと、コンピュータに対して、前記決定に少なくとも部分的に基づいて、前記媒体を予約すべき前記時間インターバルを決定させるコードとをさらに備える、Ｃ８０に記載のコンピュータ製品。
［Ｃ８３］
前記第１の無線ネットワークにおいて公平性を確実にするために、コンピュータに対して、基準に少なくとも部分的に基づいて、前記媒体を予約すべき前記時間インターバルを決定させるコードをさらに備える、Ｃ８０に記載のコンピュータ製品。
［Ｃ８４］
コンピュータに対して、前記時間インターバルに続いて、前記第１の無線ネットワークでの無線送信を調整させるコードをさらに備える、Ｃ８０に記載のコンピュータ製品。
［Ｃ８５］
コンピュータに対して、前記時間インターバルに続いて、前記第１の無線ネットワーク内の１または複数の無線デバイスについてのスリープスケジュールを決定させるコードをさらに備える、Ｃ８０に記載のコンピュータ製品。
［Ｃ８６］
前記第２の無線ネットワークにおいて無線送信のための前記予約された媒体の前記時間インターバルに続いて、前記第１の無線ネットワークでの無線送信のために前記媒体を予約するために、コンピュータに対して、前記第２の無線ネットワークへの送信のためのメッセージを生成させるコードをさらに備える、Ｃ８０に記載のコンピュータ製品。
［Ｃ８７］
コンピュータに対して、前記媒体が予約されている間に、前記第２の無線ネットワークでの前記無線送信を調整させるコードをさらに備える、Ｃ７９に記載のコンピュータ製品。
［Ｃ８８］
コンピュータに対して、前記媒体が予約されている間に、前記第２の無線ネットワーク内の１または複数の無線デバイスについてのスリープスケジュールを決定させるコードをさらに備える、Ｃ８７に記載のコンピュータ製品。
［Ｃ８９］
コンピュータに対して、前記第２の無線ネットワークにおいて送信しようとする前記無線デバイスに関する情報を記憶させるコードをさらに備える、Ｃ７９に記載のコンピュータ製品。
［Ｃ９０］
コンピュータに対して、前記第２の無線ネットワークにおいて送信しようとする前記無線デバイスの位置に関する情報を記憶させるコードをさらに備える、Ｃ７９に記載のコンピュータ製品。
［Ｃ９１］
コンピュータに対して、ピア・ツー・ピア送信をサポートさせるコードをさらに備える、Ｃ７９に記載のコンピュータ製品。
［Ｃ９２］
コンピュータに対して、前記第２の無線ネットワーク内の無線デバイスが送信できるようにするために、前記第２の無線ネットワークへの送信のためのメッセージを生成させるコードをさらに備える、Ｃ７９に記載のコンピュータ製品。